(57)【特許請求の範囲】
【請求項１】
光学記録媒体にビーム光を照射する対物レンズと、
上記対物レンズが取り付けられるレンズ取付け面と、光軸が通過する開口とを有し、上記対物レンズを保持するレンズ保持部材と、
光源からのビーム光が入射する上記対物レンズの入射面側に位置して、上記レンズ保持部材の開口に形成されて入射光を制限する光制限部とを備え、
上記光制限部は、所定の厚みを有し、上記開口の全周に亘って形成された絞り部と、この絞り部のディスク側の端部より連続して形成され、上記レンズ保持部材のレンズ取付け面と上記対物レンズの入射面側の開口縁とを結ぶとともに光軸方向の上記対物レンズ側に向かって開口径を次第に大きくする傾斜面を有し、上記開口に所定間隔をあけて複数形成された補強部とが形成される光ピックアップ装置。
【請求項２】
上記補強部の傾斜面は、略漏斗状に形成された請求項１に記載の光ピックアップ装置。
【請求項３】
上記補強部の傾斜面は、曲面を有する形状に形成されている請求項１に記載の光ピックアップ装置。
【請求項４】
上記補強部の傾斜面は、上記対物レンズの光軸に近接する方向に膨出形成されている請求項３に記載の光ピックアップ装置。
【請求項５】
上記補強部の傾斜面は、上記対物レンズの光軸から離間する方向に凹設されている請求項３に記載の光ピックアップ装置。
【請求項６】
上記補強部の傾斜面は、不連続とされた複数の面により形成されている請求項１に記載の光ピックアップ装置。
【請求項７】
上記補強部の傾斜面には、光軸方向の上記対物レンズ側に向かって開口径を順次大きくする段差部が形成されている請求項１に記載の光ピックアップ装置。
【請求項８】
光ディスクの信号記録面に対物レンズを対向して配置した光ピックアップ装置を備えた光ディスク装置において、
上記光ピックアップ装置は、光学記録媒体にビーム光を照射する対物レンズと、上記対物レンズが取り付けられるレンズ取付け面と、光軸が通過する開口とを有し、上記対物レンズを保持するレンズ保持部材と、光源からのビーム光が入射する上記対物レンズの入射面側に位置して、上記レンズ保持部材の開口に形成されて入射光を制限する光制限部とを備え、上記光制限部は、所定の厚みを有し、上記開口の全周に亘って形成された絞り部と、この絞り部のディスク側の端部より連続して形成され、上記レンズ保持部材のレンズ取付け面と上記対物レンズの入射面側の開口縁とを結ぶとともに光軸方向の上記対物レンズ側に向かって開口径を次第に大きくする傾斜面を有し、上記開口に所定間隔をあけて複数形成された補強部とが形成された光ディスク装置。
【発明の詳細な説明】
【０００１】
【発明の属する技術分野】
本発明は、例えば光磁気ディスクや光ディスク等の光学ディスクを記録及び／又は再生するための光ピックアップ装置及びこの光ピックアップ装置を用いた光ディスク装置に関する。
【０００２】
【従来の技術】
光磁気ディスクや光ディスク等の光学ディスクに対して情報の再生を行う光ピックアップ装置が知られている。この種の光ピックアップ装置は、光ディスクの情報読み取り面にレーザ光を照射するための対物レンズを有する光学系と、対物レンズを駆動変位するためのレンズ駆動部とを備えている。
【０００３】
図１２に示すように、光ピックアップ装置が備える光学系１０１は、レーザ光を出射する光源１０２と、レーザ光を光学ディスク１００の信号読み取り面上に合焦させる対物レンズ１０３とを有している。レンズ駆動部は、対物レンズ１０３を保持するレンズホルダ１０５と、このレンズホルダ１０５を対物レンズ１０３の光軸方向及びこの光軸方向に直交する方向に移動させる図示しないレンズ駆動手段とを有している。
【０００４】
レンズホルダ１０５は、図１２に示すように、対物レンズ１０３が取り付けられるレンズ取付け面１０７と、対物レンズ１０３の光軸を通過させる開口とを有している。レンズホルダ１０５には、開口に、光源１０２からの入射光を制限する円形状の絞り部１０８が一体に形成されている。
【０００５】
そして、図１３に示すように、光ピックアップ装置は、光学ディスクの信号読み取り面に直交する方向の厚みを薄くして小型化を図るために、光軸上に反射ミラー１１２を配設することによって、光源１０２からのレーザ光の光路の中途部を略直交する方向に折曲させて構成された光学系１１０がある。なお、この光学系１１０において、上述した図１２に示した光ピックアップ装置の光学系１０１と同一部材には、同一符号を付して説明を省略する。また、この光ピックアップ装置について、図１３における上下を、以下の説明中、上下方向と称する。
【０００６】
図１３に示すように、光ピックアップ装置において、光学ディスク１００の信号読み取り面と光源１０２の下端との間の光軸方向の距離である装置全体の光軸方向の距離を寸法Ｌ4 とし、反射ミラー１１２の反射面の上端とレンズホルダ１０５の絞り部１０８の下端との間の光軸方向の距離を寸法Ｌ5 とする。寸法Ｌ5 は、光ディスク１００の信号読み取り面に対する対物レンズ１０３の光軸方向の可動範囲となる。また、図１３に示すように、光ピックアップ装置において、レンズホルダ１０５の絞り部１０８の上端と下端との間である光軸方向の厚みを寸法Ｌ6 とする。
【０００７】
以上のように構成された光ピックアップ装置は、光ディスク１００の信号読み取り面から情報を再生する際、レンズホルダ１０５が対物レンズ１０３の光軸方向に直交するトラッキング方向に移動されるとともに、レンズホルダ１０５が対物レンズ１０３の光軸方向であるフォーカシング方向に移動される。この光ピックアップ装置は、図１３に示すように、光源１０２から出射されたレーザ光は、反射ミラー１１２に反射されるとともに、レンズホルダ１０５の絞り部１０８によって絞られたレーザ光が対物レンズ１０３に入射される。対物レンズ１０３に入射されたレーザ光は、光ディスク１００の信号読み取り面の所望の記録トラック上に合焦される。光ピックアップ装置は、光ディスク１００の信号読み取り面からの反射光を図示しない受光部が受光して、情報を読み取り再生する。
【０００８】
【発明が解決しようとする課題】
ところで、上述した光ピックアップ装置は、図１３に示すように、寸法Ｌ4 が占める割合が比較的大きく、装置全体を薄型化するために、寸法Ｌ4 を短縮することが必要がある。しかしながら、光ピックアップ装置は、寸法Ｌ4 を小さくすることによって、レンズホルダ１０５と反射ミラー１１２に近接するため、対物レンズ１０３の可動範囲となる寸法Ｌ5 を充分に確保することが困難となり、光ピックアップ装置としての読み取り再生能力が低下してしまうという不都合があった。
【０００９】
また、光ピックアップ装置は、絞り部１０８の寸法Ｌ6 を小さくすることにより、反射ミラー１１２とレンズホルダ１０５との距離を確保することが考えられる。
【００１０】
しかしながら、光ピックアップ装置は、レンズホルダ１０５の絞り部１０８の寸法Ｌ6 を薄くする際に、略円環状の絞り部１０８の形状を例えば薄膜状に薄く形成した場合、絞り部１０８の機械的強度等が低下してしまう。このため、絞り部１０８の寸法Ｌ6 は、小さくする限界があった。したがって、光ピックアップ装置は、装置全体の寸法Ｌ4 を小さくすることが困難であった。
【００１１】
また、光ピックアップ装置は、反射ミラー等の形状を変更することによって寸法Ｌ5 を確保する方法もあるが、反射ミラーの形状を一般的と異なる形状に形成する必要があるため、反射ミラー等の加工工程が増え、製造コストがかさむという問題があった。
【００１２】
そこで、本発明は、再生特性及び製造コストに悪影響を及ぼすことなく、光制限部の光軸方向の厚みを小さくすることを可能として、装置全体の薄型化を図ることを可能とする光ピックアップ装置を提供することを目的とする。
【００１３】
【課題を解決するための手段】
上述した目的を達成するため、本発明に係る光ピックアップ装置は、光学記録媒体にビーム光を照射する対物レンズと、この対物レンズが取り付けられるレンズ取付け面と光軸が通過する開口とを有し対物レンズを保持するレンズ保持部材と、光源からのビーム光が入射する対物レンズの入射面側に位置してレンズ保持部材の開口に形成されて入射光を制限する光制限部とを備える。
【００１４】
そして、光制限部は、所定の厚みを有し、開口の全周に亘って形成された絞り部と、この絞り部のディスク側の端部より連続して形成され、レンズ保持部材のレンズ取付け面と対物レンズの入射面側の開口縁とを結ぶとともに光軸方向の対物レンズ側に向かって開口径を次第に大きくする傾斜面を有し、開口に所定間隔をあけて複数形成された補強部とが形成される。さらに、本発明は、上述したような光ピックアップ装置を備える光ディスク装置である。
【００１５】
以上のように構成した光ピックアップ装置は、レンズ保持部材に設けられた光制限部が、所定の厚みを有し、開口の全周に亘って形成された絞り部を有するとともに、この絞り部のディスク側の端部より連続して形成され、この絞り部の機械的強度を補うため、開口に所定間隔をあけて複数形成された補強部を有することによって、光制限部の機械的強度が確保されるため、光制限部の光軸方向の厚みが小さくされる。したがって、光ピックアップ装置は、対物レンズの光軸方向の厚みが薄型化される。
【００１６】
【発明の実施の形態】
以下、本発明の具体的な実施形態について、光ピックアップ装置を図面を参照して説明する。図１、図２、図３及び図４に示すように、光ピックアップ装置１は、光ディスク３の信号読み取り面にレーザ光を照射するための対物レンズ１３を有する光学系５と、対物レンズ１３を光軸方向及び光軸に直交する方向に駆動変位するためのレンズ駆動部６とを備えている。
【００１７】
図４に示すように、光ピックアップ装置１が構成する光学系５は、光路順に、レーザ光を出射する光源１１と、この光源１１から出射されたレーザ光を反射する反射ミラー１２と、この反射ミラー１２によって反射されたレーザ光を光ディスク３の信号読み取り面に合焦させる対物レンズ１３とを有している。
【００１８】
対物レンズ１３は、図５に示すように、外周部に、レンズ駆動部６のレンズホルダ上に取り付けるための取付け部１８が一体に形成されている。反射ミラー１２は、反射面１９が光源１１からのレーザ光の光軸に対して４５度傾斜した状態で配設されており、光源１１からのレーザ光と光ディスク３の信号読み取り面からの戻り光をそれぞれ９０度折曲して反射する。
【００１９】
なお、この光学系５について、図４における上下を、以下の説明中、上下方向と称する。図４に示すように、光学系５において、光学ディスク３の信号読み取り面と光源１１の下端との間の光軸方向の距離である光ピックアップ装置１全体の光軸方向の距離を寸法Ｌ1 とし、反射ミラー１２の反射面１９の上端と後述するレンズホルダ２１の絞り部３１の下端との間の光軸方向の距離を寸法Ｌ2 とする。寸法Ｌ2 は、光ディスク３の信号読み取り面に対する対物レンズ１３の光軸方向の可動範囲となる。また、図４に示すように、光ピックアップ装置１において、レンズホルダ２１の絞り部３１の上端と下端との間である光軸方向の厚みを寸法Ｌ6 とする。
【００２０】
光ピックアップ装置１が備えるレンズ駆動部６は、図１、図２及び図３に示すように、対物レンズ１３を保持するレンズホルダ２１と、このレンズホルダ２１を弾性変位可能に支持する複数の弾性支持部材２２と、この弾性支持部材２２を介してレンズホルダ２１を対物レンズ１３の光軸方向に弾性変位可能に支持するホルダ支持部材２３と、レンズホルダ２１を対物レンズ１３の光軸方向に平行なフォーカシング方向及び光軸方向に直交するトラッキング方向の二軸方向に駆動変位するための二軸アクチュエータ２４とを備えている。
【００２１】
図４及び図５に示すように、レンズホルダ２１は、例えばアクリロニトリル・ブタジエン・スチレン樹脂等の剛性を有する樹脂材料によって形成されており、対物レンズ１３を保持するレンズ保持部２６が設けられている。このレンズ保持部２６は、対物レンズ１３の光軸を通過させる円形状の中央開口を有する略円環状に形成されている。このレンズ保持部２６には、図５に示すように、対物レンズ１３に隣接する出射側の一端に、中央開口の外周部に亘って、対物レンズ１３の取付け部１８が取り付けられる円環状のレンズ取付け面２７が光軸方向に直交する平面として一体に形成されている。
【００２２】
レンズホルダ２１のレンズ保持部２６には、図５に示すように、光源１１からのレーザ光が入射する側の中央開口内に亘って、光源１１から入射するレーザ光の光束を制限する光制限部３０が一体に形成されている。
【００２３】
この光制限部３０は、図５に示すように、光源１１からのレーザ光の光束を絞る絞り部３１と、この絞り部３１の機械的強度を補うための補強部３２とを有している。
【００２４】
絞り部３１は、図４に示すように、反射ミラー１２に隣接側に位置して形成されており、光軸方向の厚みが寸法Ｌ3 とされるとともに、中央開口の開口径より小とされた所定の開口径に形成されている。
【００２５】
補強部３２は、図５に示すように、対物レンズ１３に近接する側に、絞り部３１に一体に形成されており、反射ミラー１２側から光ディスク３側に向かって開口径を次第に大きくする断面形状が直線状の傾斜面３４を有している。したがって、この光制限部３０には、絞り部３１に隣接して略漏斗状の補強部３２が一体に形成されている。
【００２６】
弾性支持部材２２は、弾性を有する金属材料により線状に形成されており、図１、図２及び図３に示すように、互いに平行にそれぞれ配設されている。これら弾性支持部材２２は、レンズホルダ２１の外周部に一体に形成された取付け片３５，３５に一端がそれぞれ取り付けられている。
【００２７】
ホルダ支持部材２３は、図示しないスライドベース上に固定されており、図１、図２及び図３に示すように、弾性支持部材２２の他端がそれぞれ取り付けられている。したがって、ホルダ支持部材２３は、弾性支持部材２２を介して、レンズホルダ２１をフォーカシング方向及びトラッキング方向との二軸方向にそれぞれ変位可能に支持している。
【００２８】
二軸アクチュエータ２４は、図１、図２及び図３に示すように、レンズホルダ２１に形成された略矩形状の開口３６内に配設されており、一対の駆動用マグネット４０，４０と、これら駆動用マグネット４０，４０がそれぞれ設けられて磁路を構成する断面略Ｕ字状のヨーク４１と、レンズホルダ２１に取り付けられてヨーク４１の両端間に挿通された駆動用コイル４２とを有している。駆動用コイル４２は、図示しないトラッキング用コイルと、フォーカシング用コイルとを有しており、レンズホルダ２１の開口３６に跨って固定されて取り付けられている。
【００２９】
そして、この二軸アクチュエータ２４は、駆動用コイル４２に電流を供給することで発生する電磁力によって、レンズホルダ２１をフォーカシング方向及トラッキング方向にそれぞれ駆動変位する。
【００３０】
以上のように構成された光ピックアップ装置１について、レンズホルダ２１のレンズ保持部２６の絞り部３１が、対物レンズ１３への入射光を規制する作用、及び光ディスク３の情報を再生する動作を説明する。
【００３１】
光ピックアップ装置１は、光源１１からのレーザ光がレンズ保持部２６の光制限部３０の絞り部３１の開口径に応じて光束が絞られて、絞られたレーザ光が対物レンズ１３に入射されて、対物レンズ１３から出射されたレーザ光が光ディスク３の信号読み取り面に照射される。
【００３２】
また、光ピックアップ装置１は、二軸アクチュエータ２４を介してレンズホルダ２１がフォーカシング方向及びトラッキング方向にそれぞれ移動されて、レンズホルダ２１のレンズ保持部２６に保持された対物レンズ１３から出射されたレーザ光が光ディスク３の信号読み取り面の所望の記録トラック上に合焦される。光ピックアップ装置１は、光ディスク３の信号読み取り面からの戻り光を受光部が受光することにより、光ディスク３の信号読み取り面の情報を読み取り再生する。
【００３３】
上述したように、光ピックアップ装置１は、レンズホルダ２１のレンズ保持部２６に形成された光制限部３０が絞り部３１と補強部３２とを有することによって、図４に示すようにレンズ保持部２６の絞り部３１の寸法Ｌ3 を小さくすることができるため、寸法Ｌ2 を変更することなく、寸法Ｌ1 を小さくすることが可能とされる。したがって、この光ピックアップ装置１は、光軸方向の厚みが比較的薄く形成された絞り部３１の機械的強度を充分に確保するとともに、装置全体の光軸方向の厚みを薄型化することができる。
【００３４】
そして、この光ピックアップ装置１によれば、光ディスク３の信号読み取り面に対する対物レンズ１３の光軸方向の追従範囲を狭めることなく従来の光ピックアップ装置と同等に確保されるとともに、レンズホルダと反射ミラーとが干渉することなく、従来の光ピックアップ装置と同等の光ディスクの信号読み取り面に対する対物レンズの追従性を充分に確保することができる。
【００３５】
また、この光ピックアップ装置１によれば、装置全体の薄型化が図られることにより、この光ピックアップ装置１を備える例えば携帯型の光ディスクプレーヤ等再生装置の内部空間を確保することが可能とされて、ディスク再生装置全体の薄型化を図ることができる。
【００３６】
なお、上述したレンズ保持部２６の光制限部３０が有する補強部３２は、断面形状が直線状の傾斜面３４として構成されたが、形状が異なる他の補強部について図面を参照して説明する。
【００３７】
例えば図６に示すように、レンズ保持部４４には、対物レンズ１３に隣接する出射側の一端に、中央開口の外周部に亘って、対物レンズ１３の取付け部１８が取り付けられる円環状のレンズ取付け面４５が光軸方向に直交する平面として形成されている。
【００３８】
レンズ保持部４４に設けられた光制限部４６は、図６に示すように、光源１１からのレーザ光を絞る絞り部４７と、この絞り部４７の機械的強度を補う補強部４８とを有している。図６に示すように、補強部４８は、光軸側に近接する方向に膨出されて断面円弧状の曲面とされた傾斜面４９を有している。したがって、この補強部４８は、傾斜面４９が開口径方向の曲面を有しており、曲率中心がレンズ保持部４４側に位置している。
【００３９】
また、例えば図７に示すように、レンズ保持部５０には、対物レンズ１３に隣接する出射側の一端に、中央開口の外周部に亘って、対物レンズ１３の取付け部１８が取り付けられる円環状のレンズ取付け面５１が光軸方向に直交する平面として形成されている。
【００４０】
レンズ保持部５０に設けられた光制限部５２は、図７に示すように、光源１１からのレーザ光を絞る絞り部５３と、この絞り部５３の機械的強度を補う補強部５４とを有している。図７に示すように、補強部５４は、光軸から離間する方向に湾曲されて断面円弧状の曲面とされた傾斜面５５を有している。したがって、この補強部５４は、傾斜面５５が開口径方向の曲面を有しており、曲率中心が対物レンズ１３側に位置している。
【００４１】
なお、図示しないが、光制限部が有する補強部の曲面形状は、円弧状に限定されるものでなく、例えばＳ字状等の複数の曲面から構成されたり、曲面と平面を組合わせて構成されてもよいことは勿論である。
【００４２】
また更に形状が異なる他の補強部を有する光制限部が形成されたレンズホルダのレンズ保持部について図面を参照して説明する。図８及び図９に示すように、レンズ保持部５８は、対物レンズ１３の光軸を通過させる円形状の中央開口を有する円環状に形成されている。レンズ保持部５８には、対物レンズ１３に隣接する出射側の一端に、中央開口の外周部に亘って、対物レンズ１３の取付け部１８が取り付けられる円環状のレンズ取付け面５９が光軸方向に直交する平面として形成されている。
【００４３】
このレンズ保持部５８には、図８及び図９に示すように、光源１１からのレーザ光が入射する側の中央開口の内周に亘って、光源１１から入射するレーザ光の光束を制限する光制限部６１が一体に形成されている。
【００４４】
この光制限部６１は、図８及び図９に示すように、光源１１からのレーザ光の光束を絞る絞り部６２と、この絞り部６２の機械的強度を補うための複数の補強リブ６３とを有している。
【００４５】
絞り部６２は、反射ミラー１２に隣接する側に位置して形成されており、光軸方向の厚みが比較的小とされるとともに、中央開口の開口径より小とされた所定の開口径に形成されている。
【００４６】
補強リブ６３は、断面略三角形状を呈する板状に形成されており、絞り部６２の開口の外周部に、互いに所定間隔をあけて放射状にそれぞれ一体に形成されている。これら補強リブ６３は、光軸方向の反射ミラー１２側から光ディスク３側に向かって開口径を次第に大きくするような傾斜面６５を有している。すなわち、光制限部６１の各補強リブ６３は、レンズ取付け面５９と、絞り部６２の開口縁とを結ぶ傾斜面を有している。
【００４７】
更に他のレンズ保持部に設けられた光制限部が有する他の補強部について図面を参照して説明する。図１０及び図１１に示すように、レンズ保持部６７は、対物レンズ１３の光軸を通過させる円形状の中央開口を有する円環状に形成されている。
【００４８】
レンズ保持部６７には、図１０及び図１１に示すように、対物レンズ１３に隣接する出射側の一端に、中央開口の外周部に亘って、対物レンズ１３の取付け部１８が取り付けられる円環状のレンズ取付け面６８が、光軸方向に直交する平面として一体に形成されている。
【００４９】
このレンズ保持部６７には、図１０及び図１１に示すように、光源１１からのレーザ光が入射する側の中央開口の内周に亘って、光源１１からのレーザ光の光束を制限する光制限部７１が一体に形成されている。この光制限部７１は、図１０及び図１１に示すように、光源１１からのレーザ光の光束を絞る絞り部７２と、この絞り部７２の機械的強度を補うための補強部７３とを有している。
【００５０】
絞り部７２は、図１０及び図１１に示すように、反射ミラー１２に隣接する側に位置して形成されており、光軸方向の厚みが比較的小とされるとともに、中央開口の開口径より小とされた所定の開口径に形成されている。
【００５１】
補強部７３は、対物レンズ１３に近接する側に位置して、絞り部７２に一体に形成されており、光軸方向の反射ミラー１２側から光ディスク３側に向かって開口径を順次に大きくする複数の段７４からなる段差状に形成されている。換言すれば、この補強部７３は、レンズ取付け面６８と絞り部７２の開口縁とを結ぶ傾斜面が不連続とされた複数の面から構成された段差状に形成されている。
【００５２】
また、この補強部７３は、絞り部７２の開口縁とレンズ取付け面６８とを結ぶ仮想的な傾斜面上に、各段７４の尖端がそれぞれ接するように形成されている。なお、各段は、絞り部の機械的強度を向上させる形状であればよく、各段の尖端が傾斜面上に位置する形状に限定するものではない。
【００５３】
【発明の効果】
上述したように本発明に係る光ピックアップ装置によれば、補強部を有する光制限部が設けられたことによって、光制限部の機械的強度が充分に確保されるため、光制限部の光軸方向の厚みを薄くすることができる。したがって、この光ピックアップ装置によれば、レンズ保持部材及び装置全体の薄型化を図ることができるとともに、この光ピックアップ装置を備える記録及び／又は再生装置内にスペースを確保することが可能とされる。
【図面の簡単な説明】
【図１】本発明に係る光ピックアップ装置を示す平面図である。
【図２】上記光ピックアップ装置を示す側面図である。
【図３】上記光ピックアップ装置を示す縦断面図である。
【図４】上記光ピックアップ装置の光学系を示す模式図である。
【図５】上記光ピックアップ装置が備える対物レンズとレンズホルダのレンズ保持部を示す縦断面図である。
【図６】他のレンズ保持部を示す縦断面図である。
【図７】また他のレンズ保持部を示す縦断面図である。
【図８】更に他のレンズ保持部を示す平面図である。
【図９】更に他のレンズ保持部を示す縦断面図である。
【図１０】他のレンズ保持部を示す平面図である。
【図１１】他のレンズ保持部を示す縦断面図である。
【図１２】従来の光ピックアップ装置の光学系を示す模式図である。
【図１３】従来の光ピックアップ装置が備える対物レンズ及びレンズホルダの絞り部を説明するために示す模式図である。
【符号の説明】
１  光ピックアップ装置、３  光ディスク、１３  対物レンズ、２１  レンズホルダ、２６  レンズ保持部、２７  レンズ取付け面、３０  光制限部、３１絞り部、３２  補強部、３４  傾斜面
【図１】
0004258061.tif 000002
【図２】
0004258061.tif 000003
【図３】
0004258061.tif 000004
【図４】
0004258061.tif 000005
【図５】
0004258061.tif 000006
【図６】
0004258061.tif 000007
【図７】
0004258061.tif 000008
【図８】
0004258061.tif 000009
【図９】
0004258061.tif 000010
【図１０】
0004258061.tif 000011
【図１１】
0004258061.tif 000012
【図１２】
0004258061.tif 000013
【図１３】
0004258061.tif 000014